(57)【要約】【課題】光源を点滅させる際に消費電流の増加を抑える。【解決手段】点灯装置１は、常用電源９から供給される常用電力で非常用電源４を充電する充電回路１０と、非常用電源４から供給される非常用電力及び常用電力によってＬＥＤモジュール３を点灯させる点灯回路２とを備える。点灯装置１は、充電回路１０及び点灯回路２を制御する制御回路１１を更に備える。制御回路１１は、点滅指示信号ＳＸを受信した場合、常用電源９が常用電力を供給していれば常用電力によってＬＥＤモジュール３を点灯させるように点灯回路２を制御する。制御回路１１は、常用電力によって点灯回路２がＬＥＤモジュール３を点灯させている点灯期間（点滅期間）に、非常用電源４の充電を中止する中止期間を設けるように充電回路１０を制御する。【選択図】        図２
2020177741.tif 000002
【特許請求の範囲】
【請求項１】
常用電源から供給される常用電力で非常用電源を充電する充電回路と、
前記非常用電源から供給される非常用電力及び前記常用電力によって光源を点灯させる点灯回路と、
前記充電回路及び前記点灯回路を制御する制御回路と、
を備え、
前記制御回路は、外部からトリガ信号を受信した場合、前記常用電源が前記常用電力を供給していなければ前記非常用電力によって前記光源を点灯させるように前記点灯回路を制御し、前記常用電源が前記常用電力を供給していれば前記常用電力によって前記光源を点灯させるように前記点灯回路を制御し、
前記制御回路は、前記常用電力によって前記点灯回路が前記光源を点灯させている点灯期間に、前記非常用電源の充電を中止する中止期間を設けるように前記充電回路を制御する、
点灯装置。
【請求項２】
前記制御回路は、前記非常用電源の電源電圧が第１しきい値を下回ったときに前記中止期間を開始し、前記電源電圧が前記第１しきい値よりも低い第２しきい値を下回ったときに前記中止期間を終了するように前記充電回路を制御する、
請求項１記載の点灯装置。
【請求項３】
前記制御回路は、前記非常用電源の充電を周期的に中止するように前記充電回路を制御する、
請求項１記載の点灯装置。
【請求項４】
前記制御回路は、前記光源を周期的に点滅させるように前記点灯回路を制御し、かつ、前記光源の点滅回数が所定回数に達するごとに前記非常用電源の充電を中止するように前記充電回路を制御する、
請求項１記載の点灯装置。
【請求項５】
前記制御回路に制御され、前記非常用電源から供給される前記非常用電力及び前記常用電力によってスピーカから音を出力させる音響回路を備え、
前記制御回路は、前記トリガ信号を受信した場合、前記常用電源が前記常用電力を供給していなければ前記非常用電力によって前記スピーカから前記音を出力させるように前記音響回路を制御し、前記常用電源が前記常用電力を供給していれば前記常用電力によって前記スピーカから前記音を出力させるように前記音響回路を制御し、
前記制御回路は、前記常用電力によって前記音響回路が前記スピーカから前記音を出力させている期間に前記中止期間を設けるように前記充電回路を制御する、
請求項１−３のいずれか１項に記載の点灯装置。
【請求項６】
請求項１−５のいずれかの点灯装置と、
前記点灯装置によって点灯させられる前記光源と、
前記点灯装置及び前記光源を保持する器具本体と、
を備える、
照明器具。
【発明の詳細な説明】
【技術分野】
【０００１】
本開示は、点灯装置及び照明器具に関し、より詳細には、常用電源と非常用電源から択一的に供給される電力で光源を点灯させる点灯装置、及び当該点灯装置を備える照明器具に関する。
【背景技術】
【０００２】
本開示に係る点灯装置及び照明器具の従来例として、特許文献１記載の点滅形誘導灯装置を例示する。特許文献１記載の従来例は、光源となるＬＥＤモジュールと、非常用電源となる二次電池と、常用電源（商用電源）から電力供給を受けて二次電池を充電する充電回路と、二次電池の電池電圧を昇圧してＬＥＤモジュールに印加する昇圧回路とを備える。また、特許文献１記載の従来例は、ＬＥＤモジュールに流す電流を定電流化する定電流回路と、二次電池の充電と放電を切り替える切替回路と、昇圧回路、定電流回路及び切替回路を制御してＬＥＤモジュールを点滅させる制御回路とを備える。なお、制御回路は、外部の信号装置から点滅信号を受信した場合に、昇圧回路、定電流回路及び切替回路を制御してＬＥＤモジュールを点滅させる。
【先行技術文献】
【特許文献】
【０００３】
【特許文献１】特開２０１３−２３５７８２号公報
【発明の概要】
【発明が解決しようとする課題】
【０００４】
ところで、上記従来例において、点検時のように常用電源が停電していない状態で光源を点滅させる場合、非常用電源ではなく、常用電源から供給される電力で光源を点滅させることもできる。しかしながら、光源の点滅と非常用電源の充電が同時に行われると、常用電源からの供給電流（消費電流）が増加してしまう。
【０００５】
本開示の目的は、光源を点滅させる際に消費電流の増加を抑えることができる点灯装置及び照明器具を提供することである。
【課題を解決するための手段】
【０００６】
本開示の一態様に係る点灯装置は、常用電源から供給される常用電力で非常用電源を充電する充電回路と、前記非常用電源から供給される非常用電力及び前記常用電力によって光源を点灯させる点灯回路とを備える。前記点灯装置は、前記充電回路及び前記点灯回路を制御する制御回路を備える。前記制御回路は、外部からトリガ信号を受信した場合、前記常用電源が前記常用電力を供給していなければ前記非常用電力によって前記光源を点灯させるように前記点灯回路を制御する。前記制御回路は、前記常用電源が前記常用電力を供給していれば前記常用電力によって前記光源を点灯させるように前記点灯回路を制御する。前記制御回路は、前記常用電力によって前記点灯回路が前記光源を点灯させている点灯期間に、前記非常用電源の充電を中止する中止期間を設けるように前記充電回路を制御する。
【０００７】
本開示の一態様に係る照明器具は、点灯装置と、前記点灯装置によって点灯させられる前記光源と、前記点灯装置及び前記光源を保持する器具本体とを備える。
【発明の効果】
【０００８】
本開示の点灯装置及び照明器具は、光源を点滅させる際に消費電流の増加を抑えることができるという効果がある。
【図面の簡単な説明】
【０００９】
【図１】図１は、本開示の実施形態に係る照明器具を示し、本体とプレートを分解した分解斜視図である。
【図２】図２は、本開示の実施形態に係る点灯装置の回路ブロック図である。
【図３】図３は、同上の点灯装置における誘導音を表す波形図である。
【図４】図４は、同上の点灯装置の比較例の動作を説明するためのタイミングチャートである。
【図５】図５は、同上の点灯装置の動作を説明するためのタイミングチャートである。
【図６】図６は、同上の点灯装置の他の動作を説明するためのタイミングチャートである。
【発明を実施するための形態】
【００１０】
以下、本開示の実施形態に係る点灯装置及び照明器具について、図面を参照して詳細に説明する。ただし、下記の実施形態において説明する各図は模式的な図であり、各構成要素の大きさ及び厚さのそれぞれの比が必ずしも実際の寸法比を反映しているとは限らない。なお、以下の実施形態で説明する構成は本開示の一例にすぎない。本開示は、以下の実施形態に限定されず、本開示の効果を奏することができれば、設計等に応じて種々の変更が可能である。
【００１１】
実施形態に係る照明器具５（以下、照明器具５と略す。）は、建物の避難口を表示するための誘導灯器具として実現されている。照明器具５は、誘導灯信号装置から点滅指示信号を受けた場合に誘導効果を高めるために光源を点滅させるように構成されている。また、照明器具５は、誘導灯信号装置から誘導音指示信号を受けた場合、誘導効果を高めるためにスピーカから警報音及び誘導音声（「避難口はこちらです。」というような音声メッセージ）を出力させるように構成されている。なお、以下の説明においては、特に断りのない限り、図１に矢印で示す向きにおいて、照明器具５の上下、左右及び前後の各方向を規定する。
【００１２】
照明器具５は、図１に示すように、誘導灯ユニット５０、光源ユニット５１、実施形態に係る点灯装置１（以下、点灯装置１と略す。）、電池ユニット５２、筐体５３などを有している。
【００１３】
筐体５３は、本体５３０とプレート５３１で構成されている。本体５３０は、前面が開放された箱形に形成されている。本体５３０内に誘導灯ユニット５０、光源ユニット５１、点灯装置１及び電池ユニット５２が収容される。
【００１４】
プレート５３１は、後面が開放された箱形に形成されている。プレート５３１は、一対の取付ばね５３２によって着脱可能に本体５３０に取り付けられる。本体５３０の前面にプレート５３１が取り付けられることによって筐体５３が組み立てられる。なお、筐体５３（本体５３０及びプレート５３１）は、鋼板などの不燃物で形成されている。
【００１５】
誘導灯ユニット５０は、表示板５００、光源ブロック５０１、点灯ブロック５０２、及び電池ブロック５０３を有している。表示板５００は、アクリル樹脂又はポリカーボネート樹脂などの透光性を有する合成樹脂材料によって四角形の板状に形成されている。表示板５００の前面には避難口を示すピクトグラムが描かれている。
【００１６】
電池ブロック５０３は、電気絶縁性を有する合成樹脂製の電池ケースに複数の電池セルを収容して構成されている。電池セルは、ニッケル水素電池のような蓄電池である。
【００１７】
点灯ブロック５０２は、常用点灯回路と、誘導灯充電回路と、非常用点灯回路と、誘導灯制御回路とを有している。常用点灯回路は、常用電源９（例えば、商用の電力系統、図２参照）から供給される電力で光源ブロック５０１のＬＥＤを点灯させる。誘導灯充電回路は、常用電源から供給される電力（常用電力）で電池ブロック５０３の電池セルを充電する。非常用点灯回路は、常用電源の常用電力供給が停止した場合、電池ブロック５０３から放電される電力（非常用電力）で光源ブロックのＬＥＤを点灯させる。誘導灯制御回路は、常用電源の給電状況を監視し、常用電源から電力供給されているときは常用点灯回路と誘導灯充電回路を動作させるとともに非常用点灯回路を停止させる。また、誘導灯制御回路は、常用電源の電力供給が停止（停電）したときは常用点灯回路と誘導灯充電回路を停止させるとともに非常用点灯回路を動作させる。
【００１８】
誘導灯ユニット５０は、筐体５３の前面（プレート５３１の前面）に設けられた四角形状の窓５３３から表示板５００の前面を露出させるようにして筐体５３内に収容される。誘導灯ユニット５０は、光源ブロック５０１から表示板５００の上面に光を入射させ、表示板５００全体を発光させることにより、表示板５００の前面の輝度を高めてピクトグラムの視認性を高めている。
【００１９】
光源ユニット５１は、光源となるＬＥＤモジュール３（図２参照）、ＬＥＤモジュール３から放射される光の配光を制御するレンズ５１０などを有している。光源ユニット５１は、筐体５３の内底面における下端部分に配置されて筐体５３内に収容されている。ただし、レンズ５１０は、筐体５３の下側の側面における長手方向（左右方向）の中央に設けられた挿通穴５３４を通して筐体５３の外に突出する。
【００２０】
電池ユニット５２は、蓄電池からなる非常用電源４と、非常用電源４を収容する電池ケース５２０を備える。非常用電源４は、例えば、複数本の乾電池型の電池セルで構成される。各電池セルは、例えば、ニッケル水素蓄電池である。非常用電源４は、箱形の電池ケース５２０に収容される。電池ユニット５２は、筐体５３内における左下の隅に収容されている。また、筐体５３内における電池ユニット５２の上方にスピーカ１３が収容されている。筐体５３の前面における窓５３３の左側に、スピーカ１３用の窓５３５が開口している。この窓５３５は、メッシュ状のスピーカカバー５３６で塞がされている。スピーカ１３から出力される音は、スピーカカバー５３６の網目を通して筐体５３の外に放出される。
【００２１】
点灯装置１は、図２に示す種々の回路を構成するプリント回路板と、プリント回路板を収容するケース１４とを備える。ケース１４は、合成樹脂材料によって箱形に形成されている。点灯装置１は、本体５３０内のスピーカ１３の右隣に収容される（図１参照）。
【００２２】
照明器具５は、壁や天井などの造営材に取り付けられる。例えば、天井に埋め込まれた二本のつりボルトに筐体５３がねじ止めされることで照明器具５が天井に直付けされる。
【００２３】
次に、点灯装置１の回路構成について、図２を参照して詳細に説明する。
【００２４】
点灯装置１は、ＬＥＤモジュール３を点灯させる点灯回路２、非常用電源４を充電する充電回路１０、スピーカ１３から誘導音（警報音及び誘導音声）を発生させる音響回路１２、点灯回路２及び音響回路１２を制御する制御回路１１を備える。
【００２５】
点灯回路２は、全波整流器２３、第１電源回路２１、切替回路２４、第２電源回路２２、スイッチ２５及び抵抗器２６を有する。全波整流器２３は、ダイオードブリッジである。全波整流器２３は、常用電源９から供給される交流電圧を全波整流する。第１電源回路２１は、全波整流器２３から出力される脈流電圧を所定の直流電圧に電圧変換する。第１電源回路２１は、例えば、絶縁型のフライバックコンバータである。第２電源回路２２は、第１電源回路２１から出力される直流電圧及び非常用電源４から供給される直流電圧を昇圧する昇圧チョッパ回路である。第２電源回路２２の高電位側の出力端子がＬＥＤモジュール３のアノードと電気的に接続される。切替回路２４は、第２電源回路２２の高電位側の入力端子を第１電源回路２１の高電位側の出力端子と電気的に接続する第１状態と、第２電源回路２２の高電位側の入力端子を非常用電源４の正極と電気的に接続する第２状態を択一的に切り替える。スイッチ２５は、ＭＯＳＦＥＴ（metal-oxide-semiconductor field-effect transistor）などの半導体スイッチング素子である。スイッチ２５の第一端（ＭＯＳＦＥＴのドレイン）がＬＥＤモジュール３のカソードと電気的に接続される。スイッチ２５の第二端（ＭＯＳＦＥＴのソース）が抵抗器２６の第一端と電気的に接続される。抵抗器２６の第二端が第２電源回路２２の低電位側の出力端子と電気的に接続される。抵抗器２６の両端には、第２電源回路２２からＬＥＤモジュール３に供給される負荷電流Ｉ１に比例した検出電圧が生じる。第２電源回路２２は、検出電圧を目標電圧に一致させるように負荷電流Ｉ１を調整する。
【００２６】
充電回路１０は、第１電源回路２１から非常用電源４に供給する充電電流Ｉ２を定電流化するように構成される。なお、非常用電源４の両端に、二つの抵抗器Ｒ１、Ｒ２が電気的に直列接続されている。二つの抵抗器Ｒ１、Ｒ２は、非常用電源４の電源電圧ＶＢを分圧することにより、電源電圧ＶＢに比例した検出電圧Ｖｘを制御回路１１に出力している。
【００２７】
音響回路１２は、音響出力回路及びスピーカアンプを有する。音響出力回路は、例えば、音声合成ＬＳＩ（Large-Scale Integration）で構成される。音響出力回路は、合成した誘導音をスピーカ１３から出力させるための音響信号をスピーカアンプに出力する。スピーカアンプは、音響出力回路から入力される音響信号を増幅し、増幅した音響信号をスピーカ１３に出力することでスピーカ１３から誘導音を出力させる。なお、スピーカアンプは、第１電源回路２１から供給される電力（常用電力）と、非常用電源４から供給される非常用電力のいずれの電力が供給されても動作可能である。
【００２８】
制御回路１１は、マイクロコントローラを有する。制御回路１１は、マイクロコントローラのメモリに記憶したプログラムを、マイクロコントローラのプロセッサで実行することにより、後述する種々の処理を行う。
【００２９】
制御回路１１は、例えば、全波整流器２３から出力される脈流電圧を監視し、脈流電圧が所定の下限値以下である期間がしきい値を超えたときに常用電源９が停電したと判定する。制御回路１１は、常用電源９が停電していないと判定している場合、切替回路２４を第１状態に維持させる。常用電源９が停電すると脈流電圧が所定の下限値以下となる期間がしきい値を超えるので、制御回路１１は、常用電源９が停電したと判定する。常用電源９が停電したと判定すれば、制御回路１１は、切替回路２４を第１状態から第２状態に切り替えさせる。
【００３０】
また、制御回路１１は、誘導灯信号装置から点滅指示信号ＳＸを受信していない場合（点滅指示信号ＳＸがローレベルの場合）、第２電源回路２２を停止させてＬＥＤモジュール３を消灯させている。さらに、制御回路１１は、誘導灯信号装置から誘導音指示信号を受信していない場合、音響回路１２を停止させている。
【００３１】
一方、誘導灯信号装置から点滅指示信号ＳＸを受信した場合（点滅指示信号ＳＸがハイレベルの場合）、制御回路１１は、第２電源回路２２を動作させて第２電源回路２２からＬＥＤモジュール３に負荷電流Ｉ１を供給させる。また、制御回路１１は、誘導効果を高めるためにＬＥＤモジュール３を間欠駆動するようにスイッチ２５を制御する。例えば、制御回路１１は、一定の点滅周期（例えば、５００ミリ秒）ごとに所定の点灯期間（例えば、５０ミリ秒）だけスイッチ２５をオンしてＬＥＤモジュール３を点灯（点滅）させる。なお、制御回路１１は、点滅周期の点灯期間以外の期間（消灯期間）にスイッチ２５をオフしてＬＥＤモジュール３を消灯させる。
【００３２】
また、制御回路１１は、誘導灯信号装置から誘導音指示信号ＳＹを受信した場合、音響回路１２を動作させてスピーカ１３から誘導音（警報音及び誘導音声）を出力させる。警報音は、例えば、基本周波数の異なる二つの周期的複合波をつなぎ合わせた音（ピン、ポーン）の二回の繰り返しである。二つの基本周波数（第１周波数ｆ１、第２周波数ｆ２）は、例えば、ｆ１＝１０５６Ｈｚ±３％、ｆ２＝８８０Ｈｚ±３％とすることが好ましい。なお、以下の説明においては、第１周波数ｆ１の音を第１音Ｓ１と呼び、第２周波数ｆ２の音を第２音Ｓ２と呼ぶ。また、誘導音声Ｓ３は、例えば、「非常口はこちらです。」という音声メッセージの二回の繰り返しである（図３参照）。
【００３３】
ここで、誘導灯器具などの防災用の照明器具は、法令等によって定期的に点検を実施することが義務づけられている。定期的な点検には、常用電源９から常用電力が供給されている状態において、誘導灯信号装置から点滅指示信号ＳＸ及び誘導音指示信号ＳＹを送信して照明器具５が正常に動作することを確認する作業が含まれる。しかして、点検時にＬＥＤモジュール３の点滅を行いながら充電回路１０による非常用電源４の充電を行った場合、充電電流Ｉ２を含めた第１電源回路２１の出力電流Ｉ３が大きく増加する（図４参照）。なお、図４は、点灯装置１の比較例における点滅指示信号ＳＸ、充電電流Ｉ２、負荷電流Ｉ１、非常用電源４の電源電圧ＶＢ及び第１電源回路２１の出力電流Ｉ３のそれぞれのタイミングチャートを示している。
【００３４】
そこで、点灯装置１の制御回路１１は、常用電源９の常用電力によって点灯回路２がＬＥＤモジュール３を点灯（点滅）させている点灯期間（点滅期間）に、非常用電源４の充電を中止する中止期間Ｔoffを設けるように充電回路１０を制御する。その結果、点灯装置１は、ＬＥＤモジュール３の点灯（点滅）と非常用電源４の充電を並行して行う場合に比べて、消費電流（出力電流Ｉ３）の増加を抑えることができる。
【００３５】
次に、制御回路１１の具体的な動作（処理）について、図５及び図６を参照して詳細に説明する。なお、図５及び図６はそれぞれ、点滅指示信号ＳＸ、充電電流Ｉ２、負荷電流Ｉ１、非常用電源４の電源電圧ＶＢ及び第１電源回路２１の出力電流Ｉ３のそれぞれのタイミングチャートを示している。
【００３６】
＜１．図５のタイミングチャートに対応する動作説明＞
制御回路１１は、点滅指示信号ＳＸを受信すると（図５の時間ｔ＝ｔ１）、検出電圧Ｖｘをウィンドウコンパレータに入力する。制御回路１１は、検出電圧Ｖｘがウィンドウコンパレータの高い方の基準電圧Ｖｒ１以上であれば、電源電圧ＶＢが第１しきい値Ｖth１以上であるとみなし、充電回路１０を停止して充電を中止する。また、制御回路１１は、検出電圧Ｖｘが基準電圧Ｖｒ１未満であれば、電源電圧ＶＢが第１しきい値Ｖth１未満であるとみなし、充電回路１０を停止せずに充電を継続する。ただし、制御回路１１は、検出電圧Ｖｘが基準電圧Ｖｒ１以上となった時点で充電回路１０を停止して充電を中止する。
【００３７】
非常用電源４は、充電回路１０が停止して充電が中止されている期間（中止期間Ｔoff）において、二つの抵抗器Ｒ１、Ｒ２を介して微少な放電電流を流して放電される。そのため、電源電圧ＶＢは、徐々に低下する。
【００３８】
制御回路１１は、充電の中止中に検出電圧Ｖｘが低い方の基準電圧Ｖｒ２（＜Ｖｒ１）以下に低下すると（時間ｔ＝ｔ２）、電源電圧ＶＢが第２しきい値Ｖth２以下であるとみなし、充電回路１０を動作させて充電を再開する。非常用電源４が充電電流Ｉ２で充電されるので、電源電圧ＶＢ（検出電圧Ｖｘ）が徐々に上昇する。
【００３９】
制御回路１１は、検出電圧Ｖｘが基準電圧Ｖｒ１に達すると（時間ｔ＝ｔ３）、電源電圧ＶＢが第１しきい値Ｖth１以上になったとみなし、充電回路１０を停止して充電を再び中止する。また、制御回路１１は、検出電圧Ｖｘが基準電圧Ｖｒ２以下に低下すると（時間ｔ＝t４）、充電回路１０を動作させて充電を再開させる。さらに、制御回路１１は、検出電圧Ｖｘが基準電圧Ｖｒ１に達すると（時間ｔ＝t５）、充電回路１０を停止して充電を再び中止する。
【００４０】
上述のように制御回路１１は、非常用電源４の電源電圧ＶＢが第１しきい値Ｖth１を下回ったときに中止期間Ｔoffを開始し、電源電圧ＶＢが第２しきい値Ｖth２を下回ったときに中止期間Ｔoffを終了するように充電回路１０を制御することが好ましい。点灯装置１は、制御回路１１が上述のように動作することにより、非常用電源４の電源電圧ＶＢを所定の範囲に維持しつつ、消費電流（出力電流Ｉ３）の増加を抑えることができる。
【００４１】
＜２．図６のタイミングチャートに対応する動作説明＞
制御回路１１は、点滅指示信号ＳＸを受信すると（図６の時間ｔ＝ｔ１）、検出電圧Ｖｘがウィンドウコンパレータの基準電圧Ｖｒ１以上であるか否かを判定する。制御回路１１は、検出電圧Ｖｘが基準電圧Ｖｒ１以上であれば、充電回路１０を停止して充電を中止する。また、制御回路１１は、検出電圧Ｖｘが基準電圧Ｖｒ１未満であれば、充電回路１０を停止せずに充電を継続する。ただし、制御回路１１は、検出電圧Ｖｘが基準電圧Ｖｒ１以上となった時点で充電回路１０を停止して充電を中止する。
【００４２】
制御回路１１は、充電回路１０を停止した時点から中止期間Ｔoffのカウントを開始し、中止期間Ｔoffが所定時間に達したら、充電回路１０を動作させて充電を再開させる（時間ｔ＝ｔ２）。また、制御回路１１は、充電回路１０を動作させて充電を再開させた時点から充電期間Ｔonのカウントを開始し、充電期間Ｔonが所定時間に達したら、充電回路１０を停止して充電を再度中止する（時間ｔ＝ｔ３）。以降、制御回路１１は、一定の中止期間Ｔoffと充電期間Ｔonを交互かつ周期的に繰り返すように充電回路１０を制御する（図６参照）。
【００４３】
上述のように制御回路１１は、非常用電源４の充電を周期的に中止するように充電回路１０を制御することが好ましい。点灯装置１は、制御回路１１が上述のように動作することにより、非常用電源４の電源電圧ＶＢの低下を抑えつつ、消費電流（出力電流Ｉ３）の増加を抑えることができる。
【００４４】
ところで、制御回路１１は、ＬＥＤモジュール３の点滅回数が所定回数に達するごとに非常用電源４の充電を中止するように充電回路１０を制御しても構わない。点灯装置１は、制御回路１１が上述のように動作することにより、非常用電源４の電源電圧ＶＢの低下を抑えつつ、消費電流（出力電流Ｉ３）の増加を抑えることができる。
【００４５】
なお、制御回路１１は、点滅指示信号ＳＸを受信している間（ＬＥＤモジュール３を点滅させている間）、充電回路１０を停止して充電を中止しても構わない。
【００４６】
また、制御回路１１は、ＬＥＤモジュール３の点滅とともにスピーカ１３から誘導音を出力する場合、音響回路１２がスピーカ１３から誘導音を出力させている期間に中止期間Ｔoffを設けるように充電回路１０を制御することが好ましい。点灯装置１は、制御回路１１が上述のように動作することにより、ＬＥＤモジュール３の点滅と誘導音の出力を並行して行いつつ、消費電流（出力電流Ｉ３）の増加を抑えることができる。
【００４７】
上述のように第１の態様に係る点灯装置（１）は、常用電源（９）から供給される常用電力で非常用電源（４）を充電する充電回路（１０）を備える。第１の態様に係る点灯装置（１）は、非常用電源（４）から供給される非常用電力及び常用電力によって光源（ＬＥＤモジュール３）を点灯させる点灯回路（２）と、充電回路（１０）及び点灯回路（２）を制御する制御回路（１１）とを備える。制御回路（１１）は、外部からトリガ信号（点滅指示信号ＳＸ、誘導音指示信号ＳＹ）を受信した場合、常用電源（９）が常用電力を供給していなければ非常用電力によって光源を点灯させるように点灯回路（２）を制御する。制御回路（１１）は、常用電源（９）が常用電力を供給していれば常用電力によって光源を点灯させるように点灯回路（２）を制御する。制御回路（１１）は、常用電力によって点灯回路（２）が光源を点灯させている点灯期間に、非常用電源（４）の充電を中止する中止期間（Ｔoff）を設けるように充電回路（１０）を制御する。
【００４８】
第１の態様に係る点灯装置（１）は、光源の点灯と非常用電源（４）の充電を並行して行う場合に比べて、消費電流の増加を抑えることができる。
【００４９】
第２の態様に係る点灯装置（１）は、第１の態様との組合せにより実現され得る。第２の態様に係る点灯装置（１）において、制御回路（１１）は、非常用電源（４）の電源電圧（ＶＢ）が第１しきい値（Ｖth１）を下回ったときに中止期間を開始するように充電回路（１０）を制御することが好ましい。制御回路（１１）は、電源電圧（ＶＢ）が第１しきい値（Ｖth１）よりも低い第２しきい値（Ｖth２）を下回ったときに中止期間（Ｔoff）を終了するように充電回路（１０）を制御することが好ましい。
【００５０】
第２の態様に係る点灯装置（１）は、非常用電源（４）の電源電圧（ＶＢ）を所定の範囲に維持しつつ、消費電流（出力電流Ｉ３）の増加を抑えることができる。
【００５１】
第３の態様に係る点灯装置（１）は、第１の態様との組合せにより実現され得る。第３の態様に係る点灯装置（１）において、制御回路（１１）は、非常用電源（４）の充電を周期的に中止するように充電回路（１０）を制御することが好ましい。
【００５２】
第３の態様に係る点灯装置（１）は、非常用電源（４）の電源電圧（ＶＢ）の低下を抑えつつ、消費電流（出力電流Ｉ３）の増加を抑えることができる。
【００５３】
第４の態様に係る点灯装置（１）は、第１の態様との組合せにより実現され得る。第４の態様に係る点灯装置（１）において、制御回路（１１）は、光源を周期的に点滅させるように点灯回路（２）を制御することが好ましい。制御回路（１１）は、光源の点滅回数が所定回数に達するごとに非常用電源（４）の充電を中止するように充電回路を制御することが好ましい。
【００５４】
第４の態様に係る点灯装置（１）は、非常用電源（４）の電源電圧（ＶＢ）の低下を抑えつつ、消費電流（出力電流Ｉ３）の増加を抑えることができる。
【００５５】
第５の態様に係る点灯装置（１）は、第１−第３の態様のいずれかとの組合せにより実現され得る。第５の態様に係る点灯装置（１）は、制御回路（１１）に制御され、非常用電源（４）から供給される非常用電力及び常用電力によってスピーカ（１３）から音を出力させる音響回路（１２）を備えることが好ましい。制御回路（１１）は、トリガ信号を受信した場合、常用電源（９）が常用電力を供給していなければ非常用電力によってスピーカ（１３）から音を出力させるように音響回路（１２）を制御することが好ましい。制御回路（１１）は、常用電源（９）が常用電力を供給していれば常用電力によってスピーカ（１３）から音を出力させるように音響回路（１２）を制御することが好ましい。制御回路（１１）は、常用電力によって音響回路（１２）がスピーカ（１３）から音を出力させている期間に中止期間（Ｔoff）を設けるように充電回路（１０）を制御することが好ましい。
【００５６】
第５の態様に係る点灯装置（１）は、光源の点灯と音の出力を並行して行いつつ、消費電流（出力電流Ｉ３）の増加を抑えることができる。
【００５７】
第６の態様に係る照明器具（５）は、第１−第５の態様のいずれかの態様に係る点灯装置（１）と、点灯装置（１）によって点灯させられる光源（ＬＥＤモジュール３）と、点灯装置（１）及び光源を保持する器具本体（筐体５３）とを備える。
【００５８】
第６の態様に係る照明器具（５）は、光源の点灯と非常用電源（４）の充電を並行して行う場合に比べて、消費電流の増加を抑えることができる。
【符号の説明】
【００５９】
１  点灯装置
２  点灯回路
３  ＬＥＤモジュール（光源）
４  非常用電源
５  照明器具
９  常用電源
１０  充電回路
１１  制御回路
１２  音響回路
１３  スピーカ
５３  筐体（器具本体）
Ｔoff  中止期間
ＳＸ  点滅指示信号（トリガ信号）
ＳＹ  誘導音指示信号（トリガ信号）
Ｖth１  第１しきい値
Ｖth２  第２しきい値
ＶＢ  非常用電源の電源電圧
【図１】
2020177741.tif 000003
【図２】
2020177741.tif 000004
【図３】
2020177741.tif 000005
【図４】
2020177741.tif 000006
【図５】
2020177741.tif 000007
【図６】
2020177741.tif 000008